(57)【要約】【課題】インターホンが乗客の誤動作や悪戯により操作されたときには情報センターを呼び出さないエレベータ遠隔監視システムを提供する。【解決手段】エレベータ遠隔監視システムは、監視対象のエレベータを遠隔監視する情報センターと上記エレベータの乗りカゴとの間で会話できるインターホンが設けられるエレベータ遠隔監視システムにおいて、上記エレベータが正常に運行され且つ上記乗りカゴから上記インターホンを用いて上記情報センターを呼び出そうとしたとき上記乗りカゴの戸を一旦開けるとともに上記乗りカゴの戸を開けてから所定の時間経過した後において上記乗りカゴ内に人が居ない場合上記乗りカゴと上記情報センター間で上記インターホンを接続しない。【選択図】図１
2009215042.tif 000002
【特許請求の範囲】
【請求項１】
監視対象のエレベータを遠隔監視する情報センターと上記エレベータの乗りカゴとの間で会話できるインターホンが設けられるエレベータ遠隔監視システムにおいて、
上記エレベータが正常に運行され且つ上記乗りカゴから上記インターホンを用いて上記情報センターを呼び出そうとしたとき上記乗りカゴの戸を一旦開けるとともに上記乗りカゴの戸を開けてから所定の時間経過した後において上記乗りカゴ内に人が居ない場合上記乗りカゴと上記情報センター間で上記インターホンを接続しないことを特徴とするエレベータ遠隔監視システム。
【請求項２】
上記乗りカゴ内を撮影する防犯カメラと、
上記防犯カメラで撮影された画像を解析して上記乗りカゴ内に人が居ないことを検知する画像解析装置と、
を備えることを特徴とする請求項１に記載のエレベータ遠隔監視システム。
【請求項３】
上記乗りカゴに乗り込んでいる人の重量を計測する秤装置と、
上記秤装置により計測された重量から上記乗りカゴ内に人が居ないことを検知する人数検知装置と、
を備えることを特徴とする請求項１に記載のエレベータ遠隔監視システム。
【発明の詳細な説明】
【技術分野】
【０００１】
この発明は、エレベータを遠隔から監視するエレベータ遠隔監視システムに関するものである。
【背景技術】
【０００２】
従来の遠隔監視システムでは、エレベータを制御する制御盤の状態をモニタリングし、異常を検知したときに遠隔監視装置は情報センターにデータを送信し、情報センターの受信台よりインターホンを通じてかご内に呼び掛けを行い、状況の確認を行う。しかし、残念なことに利用者のいたずらによる異常状態発生が通報の大多数をしめることが多い。そこで、利用者のいたずらによる動作などを除外するために、電話回線を使用したエレベータの遠隔監視システムにおいて、エレベータかご内に設けたマイクロフォンと、このマイクロフォンの音声を録音する記憶装置と、記憶された音声を特定の事象発生までの一定時間記憶するリングバッファ回路と、特定の事象発生時にエレベータの保守会社に通報する通報装置と、通報時にリングバッファ回路の内容を再生して保守会社に通信する手段とを有している（例えば、特許文献１参照）。
【０００３】
【特許文献１】特開平５−２０１６４１号公報
【発明の開示】
【発明が解決しようとする課題】
【０００４】
ところで、インターホンを一定時間押下することにより利用者が保守会社と公衆電話回線網で会話できるようにしている。エレベータ制御装置とテルコードにより電気的に制御されているエレベータかご内にはエレベータ専用のインターホンが設置されており、建物内に管理者がいれば管理者に通じるようになっているが、建物内に管理者がいなければ直接保守会社に接続できるようになっている。
しかし、乗客の誤操作や悪戯によりインターホン釦が押下されても、情報センターの受信者は相応の対応を余儀なくされ、他の重大な状態への対応が遅れてしまうという問題がある。
【０００５】
この発明の目的は、インターホンが乗客の誤動作や悪戯により操作されたときには情報センターを呼び出さないエレベータ遠隔監視システムを提供することである。
【課題を解決するための手段】
【０００６】
この発明に係るエレベータ遠隔監視システムは、監視対象のエレベータを遠隔監視する情報センターと上記エレベータの乗りカゴとの間で会話できるインターホンが設けられるエレベータ遠隔監視システムにおいて、上記エレベータが正常に運行され且つ上記乗りカゴから上記インターホンを用いて上記情報センターを呼び出そうとしたとき上記乗りカゴの戸を一旦開けるとともに上記乗りカゴの戸を開けてから所定の時間経過した後において上記乗りカゴ内に人が居ない場合上記乗りカゴと上記情報センター間で上記インターホンを接続しない。
【発明の効果】
【０００７】
この発明に係るエレベータ遠隔監視システムの効果は、防犯用に乗りカゴ内に設置されている防犯カメラを用いて乗りカゴの戸を開いてから所定の時間経過した時点で人間が乗りカゴ内に居ないことが確認されたときにはインターホンの呼びが誤動作または悪戯によるものと判断し情報センターに接続しないので、誤動作や悪戯による呼びを抑制することができ、真に必要な呼びに対応することができることである。
【発明を実施するための最良の形態】
【０００８】
実施の形態１．
図１は、この発明の実施の形態１に係るエレベータ遠隔監視システムの構成を示すブロック図である。
この発明の実施の形態１に係るエレベータ遠隔監視システムは、監視対象のエレベータを遠隔監視するために遠隔地に置かれる情報センター１、監視対象のエレベータを制御する制御盤２、制御盤２により昇降や扉開閉が制御される乗りカゴ３、情報センター１と乗りカゴ３内の乗客との間の会話に供される乗りカゴ３内に設置されたインターホンかご内器４、情報センター１に配置された受信台５に設けられたインターホン監視側器６、および、制御盤２およびインターホンかご内器４と情報センター１の受信台５との間で情報を送受信する遠隔監視装置７を備える。
【０００９】
また、この発明の実施の形態１に係るエレベータ遠隔監視システムは、乗りカゴ３内を撮影する防犯カメラ８、および、防犯カメラ８が撮影した画像を解析して人物が写っているか否かから人物が乗りカゴ３内に居るか居ないかを検知する画像解析装置９を備える。
情報センター１の受信台５には、インターホン監視側器６および制御盤２から送信されてきた監視しているエレベータの状態を表示する表示パネル１１が設けられ、インターホン監視側器６には、送受話器１２が設けられている。
インターホンかご内器４には、情報センター１を呼び出すインターホン釦１３および送受話器１４が設けられている。
【００１０】
防犯カメラ８は、設置することに犯罪を抑止するとともに乗りカゴ３内を撮影して画像データを画像解析装置９に蓄積する。なお、画像解析装置９には、防犯カメラ８が撮影した画像に含まれる人物の動きで異常レベルを判定し警告アナウンス等を流すモーションサーチ機能などが付加されている。
【００１１】
そして、この発明の実施の形態１に係るエレベータ遠隔監視システムでは、乗りカゴ３の戸が閉まらない、地震が発生した、ピットが冠水したなど法定安全装置が作動したときには制御盤２から遠隔監視装置７を経由してエレベータの状態情報が情報センター１に送られる。遠隔監視装置７は、法定安全装置が作動したときには乗りカゴ３内のインターホンかご内器４からの呼び、および情報センター１のインターホン監視側器６からの呼びに対して乗りカゴ３内の送受話器１４と情報センター１の送受話器１２とを無条件に接続する。
【００１２】
このとき必要があれば監視員が受信台５の送受話器１２を使って乗りカゴ３内のインターホンかご内器４を呼び出し乗車している乗客に必要な指示を与えることができるし、乗客が乗りカゴ３内の送受話器１４を使って情報センター１の受信台５を呼び出し監視員に現況を伝えることができる。
【００１３】
一方、遠隔監視装置７は、法定安全装置などが作動しておらずエレベータが正常に運転されているときには乗りカゴ３内のインターホンかご内器４からの呼びに対してインターホン対応手順を実施して対応する。
図２は、エレベータが正常なときに実行されるインターホン対応手順を示すフローチャートである。
遠隔監視装置７は、呼び信号が入力される度にインターホン対応手順が開始される。呼び信号は、乗りカゴ３内のインターホン釦１３が所定の時間、例えば５秒押下し続けられると発せられる。
ステップＳ１０１で、遠隔監視装置７は、呼び信号が入力されると制御盤２から乗りカゴ３が走行中または停止中のいずれであるか確認する。
ステップＳ１０２で、遠隔監視装置７は、乗りカゴ３が走行中のときには乗りカゴ３が停止するまで戸開指令の送信を待つ。走行時間は長くても１０〜１５秒であるので、停止するまで待っても不便を乗客には与えない。
ステップＳ１０３で、遠隔監視装置７は、乗りカゴ３が停止中のときには制御盤２に戸開指令を送信する。
ステップＳ１０４で、制御盤２は、戸開指令を受信したので乗りカゴ３の戸を開く。
【００１４】
ステップＳ１０５で、遠隔監視装置７は乗りカゴ３の戸が開かれてから所定の時間、例えば５秒経過した時点で画像解析装置９に対して人物検知指令を送信する。
ステップＳ１０６で、画像解析装置９は、人物検知指令を受信すると防犯カメラ８を作動して乗りカゴ３内の画像を取り込み、取り込んだ画像を解析して乗りカゴ３内に人物が居るか居ないかを検知する。そして、人物が居るか居ないかの情報を遠隔監視装置７に送信する。
ステップＳ１０７で、遠隔監視装置７は、乗りカゴ３内に人物が居るか否かを判断し、乗りカゴ３内に人物か居るときステップＳ１０８に進み、乗りカゴ３内に人物が居ないときステップＳ１０９に進む。
【００１５】
ステップＳ１０８で、遠隔監視装置７は、情報センター１の受信台５の送受話器１２を呼び出し、乗りカゴ３内のインターホンかご内器４の送受話器１４と接続する。このように情報センター１のインターホン監視側器６の送受話器１２と乗りカゴ３内のインターホンかご内器４の送受話器１４とが接続されると、乗りカゴ３内の乗客が情報センター１の監視員に乗客や乗りカゴ３内の様子を伝えることができる。また、監視員は乗客に対処方などを教えることができる。そして、必要な会話が完了して送受話器が切られたときインターホン対応手順を終了する。
ステップＳ１０９で、遠隔監視装置７は、乗りカゴ３内に人物が居ないときには乗りカゴ３内のインターホンかご内器４からの呼びを無視してインターホン対応手順を終了する。
【００１６】
遠隔監視装置７は、乗りカゴ３内のインターホン釦１３が所定の時間に亘って押され呼び信号が入力されたとき、一旦乗りカゴ３の戸を開けてから所定の時間経過した時点に人物が乗りカゴ３内に居なければ誤動作や悪戯による呼びと判断して情報センターを呼び出さずにおき、一方、乗りカゴ３の戸を開けてから所定の時間経過した時点に人物が乗りカゴ３内に居れば乗客が情報センターと会話したいと判断して情報センター１を呼び出す。
【００１７】
この発明の実施の形態１に係るエレベータ遠隔監視システムは、防犯用に乗りカゴ３内に設置されている防犯カメラ８を用いて乗りカゴ３の戸を開いてから所定の時間経過した時点で人間が乗りカゴ３内に居ないことが確認されたときにはインターホンの呼びが誤動作または悪戯によるものと判断し情報センター１に接続しないので、誤動作や悪戯による呼びを抑制することができ、真に必要な呼びに対応することができる。
【００１８】
実施の形態２．
図３は、この発明の実施の形態２に係るエレベータ遠隔監視システムの構成を示すブロック図である。
この発明の実施の形態２に係るエレベータ遠隔監視システムは、この発明の実施の形態１に係るエレベータ遠隔監視システムの防犯カメラ８および画像解析装置９の代わりに秤装置１８および人数検知装置１９を備えることが異なり、それ以外は同様であるので、同様な部分に同じ符号を付記し説明は省略する。
秤装置１８は、乗りカゴ３に乗り込んでいる人または積載されている荷物の重量を計測し、計測した重量が積載重量を超えた場合警報を発する。この秤装置１８は、計測した重量を人数検知装置１９に入力する。
人数検知装置１９は、人物検知指令が入力されたときには入力された重量を分析して乗りカゴ３内に人間が居るか居ないかを検知する。
【００１９】
図４は、エレベータが正常なときに実行されるインターホン対応手順を示すフローチャートである。
遠隔監視装置１７は、呼び信号が入力される度にインターホン対応手順が開始される。呼び信号は、乗りカゴ３内のインターホン釦１３が所定の時間、例えば５秒押下し続けられると発せられる。
ステップＳ２０１で、遠隔監視装置１７は、呼び信号が入力されると制御盤２から乗りカゴ３が走行中または停止中のいずれであるか確認する。
ステップＳ２０２で、遠隔監視装置１７は、乗りカゴ３が走行中のときには乗りカゴ３が停止するまで戸開指令の送信を待つ。走行時間は長くても１０〜１５秒であるので、停止するまで待っても不便を乗客には与えない。
ステップＳ２０３で、遠隔監視装置１７は、乗りカゴ３が停止中のときには制御盤２に戸開指令を送信する。
ステップＳ２０４で、制御盤２は、戸開指令を受信したので乗りカゴ３の戸を開く。
【００２０】
ステップＳ２０５で、遠隔監視装置１７は乗りカゴ３の戸が開かれてから所定の時間、例えば５秒経過した時点で人数検知装置１９に対して人物検知指令を送信する。
ステップＳ２０６で、人数検知装置１９は、人物検知指令を受信すると秤装置１８から重量を取り込み、取り込んだ重量を分析して乗りカゴ３内に人物が居るか居ないかを検知する。そして、人物が居るか居ないかの情報を遠隔監視装置１７に送信する。
ステップＳ２０７で、遠隔監視装置１７は、乗りカゴ３内に人物が居るか否かを判断し、乗りカゴ３内に人物か居るときステップＳ２０８に進み、乗りカゴ３内に人物が居ないときステップＳ２０９に進む。
【００２１】
ステップＳ２０８で、遠隔監視装置１７は、情報センター１の受信台５の送受話器１２を呼び出し、乗りカゴ３内のインターホンかご内器４の送受話器１４と接続する。このように情報センター１のインターホン監視側器６の送受話器１２と乗りカゴ３内のインターホンかご内器４の送受話器１４とが接続されると、乗りカゴ３内の乗客が情報センター１の監視員に乗客や乗りカゴ３内の様子を伝えることができる。また、監視員は乗客に対処方などを教えることができる。そして、必要な会話が完了して送受話器が切られたときインターホン対応手順を終了する。
ステップＳ２０９で、遠隔監視装置１７は、乗りカゴ３内に人物が居ないときには乗りカゴ３内のインターホンかご内器４からの呼びを無視してインターホン対応手順を終了する。
【００２２】
この発明の実施の形態２に係るエレベータ遠隔監視システムは、エレベータの乗り過ぎを防止するために設置されている秤装置１８を用いて乗りカゴ３の戸を開いてから所定の時間経過した時点で人間が乗りカゴ３内に居ないことが確認されたときにはインターホンの呼びが誤動作または悪戯によるものと判断し情報センター１に接続しないので、誤動作や悪戯による呼びを抑制することができ、真に必要な呼びに対応することができる。
【図面の簡単な説明】
【００２３】
【図１】この発明の実施の形態１に係るエレベータ遠隔監視システムの構成を示すブロック図である。
【図２】エレベータが正常なときに実行されるインターホン対応手順を示すフローチャートである。
【図３】この発明の実施の形態２に係るエレベータ遠隔監視システムの構成を示すブロック図である。
【図４】エレベータが正常なときに実行されるインターホン対応手順を示すフローチャートである。
【符号の説明】
【００２４】
１  情報センター、２  制御盤、３  乗りカゴ、４  インターホンかご内器、５  受信台、６  インターホン監視側器、７、１７  遠隔監視装置、８  防犯カメラ、９  画像解析装置、１１  表示パネル、１２、１４  送受話器、１３  インターホン釦、１８  秤装置、１９  人数検知装置。
【図１】
2009215042.tif 000003
【図２】
2009215042.tif 000004
【図３】
2009215042.tif 000005
【図４】
2009215042.tif 000006